(57)【特許請求の範囲】
【請求項１】
複数の金属剣山（３）と、プラスチックをもって金属に擬装した複数の擬装剣山（１）とを、共通の連結基枠（２）をもって、一体構造としたことを特徴とする賊侵入防止柵。
【請求項２】
金属剣山（３）と、プラスチックをもって金属に擬装した複数の擬装剣山（１）とを、共通の連結基枠（２）をもって、一体構造とすると共に、賊侵入経路の手前区域（Ｅ１）に、上記金属剣山（３）を配設したことを特徴とする賊侵入防止柵構造。
【請求項３】
複数の金属剣山（３）を有する第１賊侵入防止柵（30）を、賊侵入経路の手前区域（Ｅ１）に配設し、
さらに、プラスチックをもって金属に擬装した複数の擬装剣山（１）を有すると共に、該複数の擬装剣山（１）を連結する連結基枠（２）がプラスチックをもって金属に擬装された第２賊侵入防止柵（10）を、上記賊侵入経路の奥方区域（Ｅ２）に配設したことを特徴とする賊侵入防止柵構造。
【請求項４】
地面（Ｇ）から賊の手が届く高さ（Ｈ１）の第１被取付部（Ｋ１）には、複数の金属剣山（３）を有する第１賊侵入防止柵（30）を配設し、
さらに、上記地面（Ｇ）から上記賊の手が届かない高さ（Ｈ２）の第２被取付部（Ｋ２）には、プラスチックをもって金属に擬装した複数の擬装剣山（１）を有すると共に、該複数の擬装剣山（１）を連結する連結基枠（２）がプラスチックをもって金属に擬装された第２賊侵入防止柵（10）を配設したことを特徴とする賊侵入防止柵構造。
【発明の詳細な説明】
【技術分野】
【０００１】
本発明は、賊侵入防止柵及び賊侵入防止柵構造に関する。
【背景技術】
【０００２】
従来、マンションや家、ビル等の建造物は、泥棒や不審者といった賊からの侵入を防止するために、壁やフェンスで周囲を保護している。ところが、賊は、その壁やフェンスを乗り越えて侵入しようとするため、壁やフェンスに賊の侵入を防止する賊侵入防止柵を設けている（例えば、特許文献１参照）。
【先行技術文献】
【特許文献】
【０００３】
【特許文献１】特開２００３−３０１６２９号公報
【発明の概要】
【発明が解決しようとする課題】
【０００４】
しかし、従来の賊侵入防止柵やその構造は、金属製であるため重量が重く、取り扱いや施工作業が困難という問題があった。また、鉄やアルミ等の金属は高価であり、賊の侵入が予測される広範囲の賊侵入経路に配設するためには多大な費用が必要となってしまうという問題があった。
【０００５】
そこで、本発明は、軽量かつ取り扱いが容易で、広範囲を安価に施工でき、防犯対策として十分な効果が得られる賊侵入防止柵及び賊侵入防止柵構造の提供を目的とする。
【課題を解決するための手段】
【０００６】
上記目的を達成するために、本発明の賊侵入防止柵は、複数の金属剣山と、プラスチックをもって金属に擬装した複数の擬装剣山とを、共通の連結基枠をもって、一体構造としたものである。
【０００７】
また、本発明の賊侵入防止柵構造は、金属剣山と、プラスチックをもって金属に擬装した複数の擬装剣山とを、共通の連結基枠をもって、一体構造とすると共に、賊侵入経路の手前区域に、上記金属剣山を配設したものである。
【０００８】
また、複数の金属剣山を有する第１賊侵入防止柵を、賊侵入経路の手前区域に配設し、さらに、プラスチックをもって金属に擬装した複数の擬装剣山を有すると共に、該複数の擬装剣山を連結する連結基枠がプラスチックをもって金属に擬装された第２賊侵入防止柵を、上記賊侵入経路の奥方区域に配設したものである。
【０００９】
また、地面から賊の手が届く高さの第１被取付部には、複数の金属剣山を有する第１賊侵入防止柵を配設し、さらに、上記地面から上記賊の手が届かない高さの第２被取付部には、プラスチックをもって金属に擬装した複数の擬装剣山を有すると共に、該複数の擬装剣山を連結する連結基枠がプラスチックをもって金属に擬装された第２賊侵入防止柵を配設したものである。
【発明の効果】
【００１０】
本発明の賊侵入防止柵及び賊侵入防止柵構造によれば、軽量かつ取り扱いが容易であり、施工作業を安全かつスムーズに行うことができる。広範囲の賊侵入経路を安価かつ容易に施工できる。防犯対策として十分な効果を容易かつ安価に得ることができる。
【図面の簡単な説明】
【００１１】
【図１】本発明の賊侵入防止柵構造に用いる賊侵入防止柵の一例を示す斜視図である。
【図２】本発明の賊侵入防止柵構造に用いる賊侵入防止柵の変形例を示す斜視図である。
【図３】本発明の賊侵入防止柵の実施形態、及び、本発明の賊侵入防止柵構造の実施の一形態を示す斜視図である。
【図４】本発明の賊侵入防止柵構造の他の実施形態を示す斜視図である。
【図５】本発明の賊侵入防止柵構造の別の実施形態を示す斜視図である。
【発明を実施するための形態】
【００１２】
以下、図示の実施の形態に基づき本発明を詳説する。
先ず、本発明の賊侵入防止柵構造に用いる賊侵入防止柵の一例を説明する。
図１に示すように、本発明の賊侵入防止柵構造に用いる賊侵入防止柵10は、プラスチックをもって金属に擬装した複数の擬装剣山１と、複数の擬装剣山１を連結する平面視矩形状の連結基枠２と、を備えている。
【００１３】
擬装剣山１は、耐候性を有するプラスチックで形成されている。鉄やアルミニウム等の金属に擬装されている。金属に擬装とは、色や形状を金属製であるかように似せて賊の目を金属製と欺くようにすることである。つまり、擬装剣山１の色を、金属（メタリック）色又は黒色としている。金属色とは、鉄やアルミニウム又は黄銅のように見える色であれば良く、具体的には、銀色（シルバー）、灰色（グレー）、白銀色（プラチナ）、黄金色（ゴールド）等の色である。
【００１４】
擬装剣山１は円錐状に形成されている。擬装剣山１の先端部１ａは、凸曲状に形成されている。各擬装剣山１の下端部１ｂは、平面視長方形状の連結基枠２によって連結されている。また、擬装剣山１と連結基枠２とは一体状にプラスチック成形されている。連結基枠２は、金属に擬装されている。つまり、連結基枠２は金属色又は黒色である。
【００１５】
擬装剣山１は、複数の列状に配設されている。矢印Ｌの方向（連結基枠２の長辺に平行な方向）を長手方向Ｌと呼び、矢印Ｗの方向（連結基枠２の短辺に平行な方向）を幅方向Ｗと呼ぶと、幅方向Ｗに隣合う列の擬装剣山１（１Ａ），１（１Ｂ）は、互いに長手方向Ｌの位置をずらして設けられている。また、一列飛ばして隣合う擬装剣山１（１Ａ），１（１Ｃ）は、長手方向Ｌの位置を一致させている。
【００１６】
連結基枠２は、擬装剣山１の各列を長手方向Ｌに連結する長手連結部２ａを有している。また、一列飛ばしで隣合う擬装剣山１（１Ａ），１（１Ｃ）を幅方向Ｗに連結する幅連結部２ｂを有している。長手連結部２ａ及び幅連結部２ｂは、横断面矩形状の角棒乃至平板状に形成されている。
【００１７】
ここで、泥棒や不審者等の賊は、マンションや家、ビル等の外壁やフェンス、ベランダ壁等の足場となる部分を侵入経路とする。そこで、外壁やベランダ壁等の足場となるような賊侵入経路に擬装剣山１及び連結基枠２は配設される。例えば、賊の足場となるような外壁の上面に配設される。また、賊によって踏まれた際に、複数の擬装剣山１の内、少なくとも１本の擬装剣山１が賊の足（靴）裏に当たるような間隔寸法をもって各擬装剣山１は配設されている。
【００１８】
図２に、本発明の賊侵入防止柵構造に用いる変形例の賊侵入防止柵10’を示す。幅方向Ｗに隣合う列の擬装剣山１（１Ｄ），１（１Ｅ）は、長手方向Ｌの位置を一致して配設している。
幅連結部２ｂは、隣合う擬装剣山１を連結している。そして、幅方向Ｗの両外側の内の一方の（二点鎖線で示す）長手連結部２ａ’を省略したものである。
【００１９】
次に、本発明の賊侵入防止柵の実施形態を説明する。
図３に示すように、実施形態の賊侵入防止柵20は、複数の円錐状の金属剣山３と、プラスチックをもって金属に擬装した円錐状の擬装剣山１とを有している。そして、共通の連結基枠２によって、複数の金属剣山３と複数の擬装剣山１とを一体構造としている。また、金属剣山３と擬装剣山１は同色かつ同形状としている。
【００２０】
実施形態の賊侵入防止柵20は、賊が侵入する際に足場となるような外壁の上面等の被取付部Ｋに配設される。賊侵入経路の内、賊が接近して最初に触れる可能性が高く、又、賊が視認し易い区域を手前区域Ｅ１とすると、金属剣山３は、被取付部Ｋに配設した際に、賊侵入経路の手前区域Ｅ１に配設されるように形成されている。例えば、賊が接近する方向が矢印Ｙの方向からであるとすると、長手方向Ｌの賊接近側に寄せて配設している。或いは、図示省略するが、幅方向Ｗに平行に接近してくる場合は、幅方向Ｗの賊接近側に寄せて配設する。
【００２１】
次に、本発明の賊侵入防止柵構造の実施の一形態について説明する。
図３に示すように、賊侵入経路の手前区域Ｅ１（被取付部Ｋの賊接近側）及びその近傍に、上述の実施形態の賊侵入防止柵20を配設し、その奥方に、図１の賊侵入防止柵10を配設した構造である。
つまり、賊侵入経路の手前区域Ｅ１に金属剣山３を配設し、奥方区域Ｅ２（手前区域Ｅ１以外の区域である侵入経路の残区域）に擬装剣山１を配設した構造である。
【００２２】
次に、賊侵入防止柵構造の他の実施形態について詳説する。
図４に示すように、複数の金属剣山３を有する第１賊侵入防止柵30を備えている。複数の金属剣山３は金属製の連結部材４をもって連結一体構造としている。
第１賊侵入防止柵30を、賊侵入経路の手前区域Ｅ１に配設し、賊侵入経路の奥方区域Ｅ２に、図１の賊侵入防止柵10から成る第２賊侵入防止柵10を配設した構造である。
【００２３】
次に、賊侵入防止柵構造の別の実施形態を説明する。
図５に示すように、道路や駐車場等の地面Ｇから賊の手が届く高さＨ１の外壁の上面等の第１被取付部Ｋ１に、上述の第１賊侵入防止柵30を配設し、地面Ｇから賊の手の届かない高さＨ２のベランダ壁や間仕切り壁等の第２被取付部Ｋ２に、上述の第２賊侵入防止柵10を配設した構造である。
【００２４】
賊侵入経路の内、地面Ｇから賊の手が届く高さＨ１の第１被取付部Ｋ１は、賊が接近して最初に触れる可能性が高く、又、賊が視認し易い区域であるので手前区域Ｅ１とも言える。また、賊の手が届かない高さＨ２の第２被取付部Ｋ２は、手間区域Ｅ１以外の区域であり、奥方区域Ｅ２とも言える。なお、図５に於て、第１賊侵入防止柵30と第２賊侵入防止柵10は簡略化して図示している。
【００２５】
本発明の賊侵入防止柵及び賊侵入防止柵構造の作用について説明する。
賊が、賊侵入経路である被取付部Ｋに矢印Ｙ方向から接近すると、擬装剣山１及び金属剣山３は、その剣山形状によって賊を威嚇する。賊は、手前区域Ｅ１又は第１被取付部Ｋ１に配設された金属剣山３を接触又は目視することによって、金属製であると認識する。そして、奥方区域Ｅ２又は第２被取付部Ｋ２に配設された擬装剣山１は、金属に擬装しているため、賊に、擬装剣山１が金属剣山３と同様のもので金属製であるという現実とは異なる認識を与える。賊に、多数の金属剣山３が賊侵入経路全て（手前区域Ｅ１及び奥方区域Ｅ２）に配設されていると勘違いさせる。また、脚や手に刺さったら痛そうだと認識させると共に侵入に時間や手間がかかると認識させ、侵入する気力を削いで、侵入を未然に防ぐ（予防する）。
【００２６】
仮に、賊が擬装剣山１を踏みつけるようにして侵入を試みても、擬装剣山１が湾曲して、賊の足裏と被取付部Ｋ（第１・２被取付部Ｋ１，Ｋ２）の間に介在し、湾曲状態から起立状態に復元しようとするプラスチックの弾性力によって賊の足元を不安定にさせ、賊に侵入の足場として不適切だと認識させ、侵入を阻止する。
【００２７】
また、施工の際に、賊侵入経路の大部分にプラスチックから成る擬装剣山１を配設するので、材料のほとんどを安価なプラスチックとすることができ、施工費用を軽減する。また、金属に比べ軽量かつ柔軟なため配設作業を容易にする。また、剣山形状であるが、非金属であるため擦り傷等の怪我の虞れがなく安全である。また、擬装剣山１はトリの糞による腐食や劣化がなく長期間に渡って効力を発揮すると共にメンテナンス等の手間を軽減する。また、プラスチックをもって連結基枠２を成形すれば、ニッパー等の簡単な工具と僅かな力で切断でき、長手方向Ｌや幅方向Ｗの長さ調節を容易にする。
【００２８】
本発明は設計変更可能であって、図３に示した実施形態の賊侵入防止柵20において、共通の連結基枠２は、金属製又はプラスチック製のどちらでも良く、プラスチック製とした場合は、金属剣山３を連結基枠２にインサート成形し、擬装剣山１と金属剣山３と連結基枠２を一体構造とするのが望ましい。また、図４に示した賊侵入防止柵構造の他の実施形態において、連結部材４をプラスチック製とし、金属に擬装しても良い。また、本発明の賊侵入防止柵は外壁の上面に限らず、側面に取着しても良い。また、取着する手段は、粘着テープや接着剤等自由である。擬装剣山１及び金属剣山３は、角錐状又は棒状としても良い。
【００２９】
以上のように、本発明の賊侵入防止柵構造に用いる賊侵入防止柵は、プラスチックをもって金属に擬装した複数の擬装剣山１を、連結基枠２をもって連結一体構造としたので、プラスチックである擬装剣山１を金属製であるかのように賊を欺くことができ、侵入を予防できる。軽量かつ取り扱いが容易であり、施工作業を安全かつスムーズに行うことができる。広範囲の賊侵入経路を安価かつ容易に施工できる。防犯対策として十分な効果を容易かつ安価に得ることができる。腐食等の虞れがなく長期間に渡って侵入を抑止する効果を発揮できる。
【００３０】
また、本発明の賊侵入防止柵は、複数の金属剣山３と、プラスチックをもって金属に擬装した複数の擬装剣山１とを、共通の連結基枠２をもって、一体構造としたので、プラスチックである擬装剣山１を金属製であるかのように賊を欺くことができ、侵入を予防できる。擬装剣山１の擬装効果を高め、より確実に金属製であるかのように思わせることができる。軽量かつ取り扱いが容易であり、施工作業を安全かつスムーズに行うことができる。広範囲の賊侵入経路を安価かつ容易に施工できる。防犯対策として十分な効果を容易かつ安価に得ることができる。腐食等の虞れがなく長期間に渡って賊の侵入を抑止する効果を発揮できる。
【００３１】
また、本発明の賊侵入防止柵構造は、金属剣山３と、プラスチックをもって金属に擬装した複数の擬装剣山１とを、共通の連結基枠２をもって、一体構造とすると共に、賊侵入経路の手前区域Ｅ１に、金属剣山３を配設したので、プラスチックである擬装剣山１を金属製であるかのように一層確実に賊を欺くことができ、侵入を予防できる。擬装剣山１の擬装効果を高め、より確実に金属製であるかのように思わせることができる。軽量かつ取り扱いが容易であり、施工作業を安全かつスムーズに行うことができる。広範囲の賊侵入経路を安価かつ容易に施工できる。防犯対策として十分な効果を容易かつ安価に得ることができる。腐食等の虞れがなく長期間に渡って侵入を抑止する効果を発揮できる。賊が接近して見たり触ったりしても、擬装が見破られるのを防止できる。
【００３２】
また、複数の金属剣山３を有する第１賊侵入防止柵30を、賊侵入経路の手前区域Ｅ１に配設し、さらに、プラスチックをもって金属に擬装した複数の擬装剣山１を有する第２賊侵入防止柵10を、賊侵入経路の奥方区域Ｅ２に配設したので、プラスチックである擬装剣山１を遠くに見えて、金属製であるかのように確実に賊を欺くことができ、侵入を予防できる。擬装剣山１の擬装効果を高め、より確実に金属製であるかのように思わせることができる。軽量かつ取り扱いが容易であり、施工作業を安全かつスムーズに行うことができる。広範囲の賊侵入経路を安価かつ容易に施工できる。防犯対策として十分な効果を容易かつ安価に得ることができる。腐食等の虞れがなく長期間に渡って侵入を抑止する効果を発揮できる。賊が接近して見たり触ったりしても、擬装が見破られるのを防止できる。
【００３３】
また、地面Ｇから賊Ｚの手が届く高さＨ１の第１被取付部Ｋ１には、複数の金属剣山３を有する第１賊侵入防止柵30を配設し、さらに、地面Ｇから賊の手が届かない高さＨ２の第２被取付部Ｋ２には、プラスチックをもって金属に擬装した複数の擬装剣山１を有する第２賊侵入防止柵10を配設したので、手が届く高さＨ１の第１被取付部Ｋ１の本当の金属から成る金属剣山３を手で触ることで、遠くのプラスチックである擬装剣山１を金属製であるかのように賊は確実に騙されることで侵入を予防できる。擬装剣山１の擬装効果を高め、より確実に金属製であるかのように思わせることができる。軽量かつ取り扱いが容易であり、施工作業を安全かつスムーズに行うことができる。広範囲の賊侵入経路を安価かつ容易に施工できる。防犯対策として十分な効果を容易かつ安価に得ることができる。腐食等の虞れがなく長期間に渡って侵入を抑止する効果を発揮できる。賊が接近して見たり触ったりしても、擬装が見破られるのを防止できる。
【符号の説明】
【００３４】
１  擬装剣山
２  連結基枠
３  金属剣山
10  第２賊侵入防止柵
30  第１賊侵入防止柵
Ｅ１  手前区域
Ｅ２  奥方区域
Ｇ  地面
Ｈ１  手が届く高さ
Ｈ２  手が届かない高さ
Ｋ１  第１被取付部
Ｋ２  第２被取付部
【図１】
0005543172.tif 000002
【図２】
0005543172.tif 000003
【図３】
0005543172.tif 000004
【図４】
0005543172.tif 000005
【図５】
0005543172.tif 000006